(57)【要約】      （修正有）【課題】複数の被包装物を一括包装した包装体において、被包装物の取り出しを容易にし、かつ被包装物を順次取り出した後における取扱いを確実なものにする包装体を提供すること。【解決手段】包装袋２の一面および反対面に、該封止部５の下方の起点８から２本に分かれて拡幅して下方に向かう切開線９ａ、９ｂを設け、該切開線９ａ、９ｂに沿って包装袋２を切開することにより、被包装物１を少なくとも一個取り出すための開口部が形成され、かつ切開することにより形成された切開部の上部同士を結わえることができるようにする。【選択図】  図１
2006347581.tif 000002
【特許請求の範囲】
【請求項１】
複数の被包装物を重ねて包装袋内に収納した包装体であって、該包装袋が本体部、底面部、および該本体部の上方に形成した封止部を有し、該包装袋の一面および反対面に、該封止部の下方の起点から２本に分かれて拡幅して下方に向かう切開線を設け、該切開線に沿って包装袋を切開することにより、被包装物を少なくとも一個取り出すための開口部が形成されるようにしたことを特徴とする包装体。
【請求項２】
前記包装袋の一面および反対面に設けた前記切開線に沿って包装袋を切開することにより形成された切開部の上部同士を結わえることができるようにしたことを特徴とする請求項１に記載の包装体。
【請求項３】
前記切開線がミシン目であることを特徴とする請求項１または２に記載の包装体。
【請求項４】
前記切開線の存在を示す表記を設けたことを特徴とする請求項１〜３のいずれかに記載の包装体。
【発明の詳細な説明】
【技術分野】
【０００１】
本発明は、被包装物を複数積み重ねて包装した包装体に関する。
【背景技術】
【０００２】
ロール状に巻回されたトイレットペーパー、キッチン用タオル；箱に収納されたティッシュペーパー；紙おむつ、生理用品等の複数の被包装物を複数段重ねて一括して包装した形態の包装体として流通、販売されている。また、包装体の上部には把持部が形成されている。このような包装体に使用する包装材は、ポリエチレン等の軟質で強度に優れたフィルムから形成されているので、流通、店頭陳列に際して破損したり、被包装物が汚染することがない。
【０００３】
しかし、このような包装体は、包装材が軟質でかつ強度があるために、購入後に開封する際に、手で包装材を破こうとしても伸びてしまい破りにくく、刃物で切るには刃物が手近にあるとは限らず、簡単に、きれいに破ることが困難であった。これを解決するために、開口が形成されるようにミシン目を設けることが提案されている（例えば、特許文献１および２参照）。
【０００４】
しかし、複数個の被包装物を一度に全て取り出して使用することは稀で、1個ずつ取り出して使用し、1個取り出した後の残りは包装袋に収納した状態で保管するのが通常である。保管場所として棚等に載せることが多い。例えば、トイレットペーパーロールの場合は、トイレ内に設けられている上段の棚の上に置くことが多い。トイレットペーパーロールを取り出すことによりフィルムが緩んだり、開口部が裂けて大きくなる。取り出すロールの数が増えると袋の形が崩れて袋の中でロールが遊び、袋がたるんでくる。このような状態になると、棚の上の袋からロールを１個だけ取り出すことは普通の身長の女性では困難であり、無理すると他のロールも転がり落ちることがある。また、袋全体を降ろそうとするときも、普通の身長の人の場合には、ロールのこぼれ落ちが生じ易い。袋に把持部が設けられていても、高い位置にある棚に収納した袋を降ろすのには役に立たない。
【特許文献１】特開２０００−３０２１６６号公報
【特許文献２】特開２００４−２６９００９号公報
【発明の開示】
【発明が解決しようとする課題】
【０００５】
本発明は、上述のような問題を解決することを課題とし、被包装物の取り出しを容易にし、かつ被包装物を順次取り出した後における取扱いを確実なものにする包装体を提供することを課題とするものである。
【課題を解決するための手段】
【０００６】
本発明の第１は、複数の被包装物を重ねて包装袋内に収納した包装体であって、該包装袋が本体部、底面部、および該本体部の上方に形成した封止部を有し、該包装袋の一面および反対面に、該封止部の下方の起点から２本に分かれて拡幅して下方に向かう切開線を設け、該切開線に沿って包装袋を切開することにより、被包装物を少なくとも一個取り出すための開口部が形成されるようにしたことを特徴とする包装体である。
【０００７】
本発明の第２は、本発明の第１において、前記包装袋の一面および反対面に設けた前記切開線に沿って包装袋を切開することにより形成された切開部の上部同士を結わえることができるようにしたことを特徴とする包装体である。
【０００８】
本発明の第３は、本発明の第１または第2において、前記切開線がミシン目であることを特徴とする包装体である。
【０００９】
本発明の第４は、本発明の第１〜第３のいずれかにおいて、前記切開線の存在を示す表記を設けたことを特徴とする包装体である。
【発明の効果】
【００１０】
複数の被包装物を積み重ねて一括包装された包装体から被包装物を一個ずつ取り出し、その間、棚などの高い位置に保管しておくという使用において、包装体の開封が容易であり、被包装物の取出しが確実に行え、かつ保管時に包装体の崩れや、被包装物のこぼれ落ちが防止できる。
【発明を実施するための最良の形態】
【００１１】
以下、図面に沿って本発明をさらに詳細に説明する。複数の図中の同一番号は同一の構成部材を示す。
【００１２】
図１は本発明の包装体の一つの実施態様を示すものであり、１２個のロール状の被包装物１を４個ずつ３段に重ねて包装袋２に収納してなる包装体の例を示す斜視図である。包装袋２はポリエチレン等のプラスチックフィルムまたはシートを包装材とし、本体部３、底面部４および該本体部の上方に形成した封止部５を有している。包装袋は前面３１、背面３２、側面３３、３４を有しており、両側面の上端はガゼット３５，３６を形成して、前面、背面の上端とともに積層して封止部５を形成している。封止部５は、ヒートシール等の手段により形成されている。封止部５の上部は、把持部６であり、把持部の上端縁７もヒートシール等により封止されている。本体部３の内部に１２個のロール状被包装物が４個ずつ３段に積み重ねて収納されている。一般的な包装方法において、被包装物を収納した後に包装袋の底面部４をヒートシール等により形成して包装体が完成する。包装袋の大きさは、開封前に包装袋内部において被包装物が崩れることがないように設定されている。好ましくは、ほぼぴったりと被包装物を包むように寸法が定められている。
【００１３】
切開線の形状、位置、起点、切開線同士の距離および切開線の長さは、切開したときに被包装物を少なくとも一個取り出すための開口が形成され、かつ切開によって形成された包装袋の切開部の上部どうしを結わえることができるように形成する。図２（ａ）〜（ｄ）に、いくつかの切開線の形状を示したが、もちろんこれらに限定されるものではない。
【００１４】
切開線は、包装袋の前面３１と背面３２または両側面３３、３４のような互いに対向する面にそれぞれ設ける。２本の切開線の起点の位置は、封止部の直ぐ下であることが、切開後の切開部の上部同士を結わえるための長さを確保するには好ましい。被包装物の取り出し易さ、このように結わえたときの形状安定性を考慮すると、起点の位置は、封止部の直ぐ下であって切開部を設ける面の中央部が好ましい。切開線の起点をガゼット部に設けることもできる。
【００１５】
起点８から２本に分離・拡開して下方に向かった切開線９ａ、９ｂは、包装袋２の本体部３の上端部位置１０ａ、１０ｂ、すなわち切開線９ａ、９ｂが最上段の被包装物の最上端外縁と接する点、を経て該被包装物の下端位置に対応する終点１１ａ，１１ｂに達する。１０ａ、１０ｂから１１ａ、１１ｂの間の切開線９ａと９ｂの距離は、ほぼ被包装物１個の幅もしくはこれより広いのが好ましい。例えば、被包装物１個の幅よりも、それぞれ５ｍｍ〜２ｃｍ程度外側にあることが好ましい。これによって最初の１個を容易に取り出すことができる。切開線の距離が大きすぎると１個取り出した後に荷崩れがしやすくなるし、１個取り出すつもりが２個出てしまうことがある。図１では、２本のロール状被包装物の縦中心線間の距離に等しい例を示した。また、図１では１０ａ、１０ｂから１１ａ、１１ｂの間の切開線９ａと９ｂの距離が等しいが、包装材がポリエチレンフィルムのような、伸長しやすく、軟質な薄い材料からなる場合には、等距離である必要がないし、被包装物１個の幅よりも若干狭くてもよい。等距離でない例を図２（ｄ）に示した。切開線の終点１１ａおよび１１ｂの位置は、１０ａ、１０ｂより下で、最上段の被包装物の下端部までが好ましい。
【００１６】
図１において、前面３１および背面３２のそれぞれに、封止部５の下方のほぼ中央に起点８を有する２本の切開線９ａ、９ｂが設けられているが、両側面３３、３４のガゼット部３５，３６に起点を設けることもできる。なお、図１では背面３２に設けた切開線は図示を省略してある。
【００１７】
切開線は、ミシン目または切開線部分を薄くすることによって形成するのが好ましい。包装体の搬送・陳列時等の意図しない時に、包装袋が切開線から開口しないように、切開線を設ける。また、包装材が透明なフィルムの場合、あるいは印刷が施されている場合に、ミシン目等の切開線の位置が判別しにくいことがある。そのような場合には、切開線の一部または全部に沿って印刷をするか、または切開線の位置または切開開始の起点を表示するマークを印刷する、あるいはシールを貼付する等の表示手段を用いるのが好ましい。
【００１８】
図３および図４に、本発明の包装体の前面および背面に設けた切開線を切り開き、被包装物であるロールを２個（図３）、または４個（図４）取り出した後で、切開部１２，１２の上部同士を結わえた状態を示す。このように結わえた状態の包装体は、これを横置きにしても被包装物がこぼれ出すことがないので、棚等の高い場所におくことができる。
【００１９】
以上の説明においては、１２個のロール状被包装物を４個ずつ３段に積み重ねた実施態様を例に挙げたが、以上の説明から明らかなように、この実施態様に限らず、被包装物の個数が１２個以外に８個、１６個あるいはそれ以外の個数の場合、あるいは段数を３段以外に２段、４段あるいはそれ以上の段数に積み重ねて包装する場合であっても、本発明を好ましく実施できるし、被包装物の形態がロール以外の任意の形状、例えば箱状、であっても好ましく実施できる。
【産業上の利用可能性】
【００２０】
本発明の包装体は、従来の包装袋製造工程に切開線を設ける工程を付加するのみで製造が可能であるから、上記実施形態以外にも各種の包装材、被包装物にも適用できる。
【図面の簡単な説明】
【００２１】
【図１】本発明の包装体の１実施態様を示す斜視図である。
【図２】切開線の形状を模式的に示す図面である。
【図３】本発明の包装体から被包装物を２個取った後に切開部同士を結わえた状態を示す斜視図である。
【図４】本発明の包装体から被包装物を４個取った後に切開部同士を結わえた状態を示す斜視図である。
【符号の説明】
【００２２】
１  被包装物
２  包装袋
３  本体部
４  底面部
５  封止部
６  把持部
７  把持部上縁部
８  切開線の起点
９a、９b  切開線
１０a、１０b  切開線が最上段の被包装物の最上端外縁と接する点
１１a、１１b  切開線の終点
１２  切開部
３１  包装袋の前面
３２  包装袋の背面
３３、３４  包装袋の側面
３５，３６  ガゼット部
３７  結び目
【図１】
2006347581.tif 000003
【図２】
2006347581.tif 000004
【図３】
2006347581.tif 000005
【図４】
2006347581.tif 000006